(57)【要約】【課題】止着テープの先端（つまみ部）が掴みやすく、止着テープの先端が、止着テープに取り付けられたフック部材等の留め具に接合しにくい止着テープを提供する。【解決手段】テープ基材２の一方端に形成されるつまみ部３と、テープ基材２の他方端に形成されて使い捨ておむつ本体に取り付けられる固定部５と、つまみ部３と固定部５との間に形成される止着部４とを有する止着テープ１であって、テープ基材２の一方の面の少なくとも止着部４に留め具６が取り付けられ、止着部４が、留め具６を内側にして止着部４と固定部５との境界で折り返されて、留め具６がテープ基材２の固定部５に接合され、つまみ部３が、留め具６を外側にして、つまみ部３と止着部４との境界で折り返されていることを特徴とする止着テープ。【選択図】図１
2010220872.tif 000002
【特許請求の範囲】
【請求項１】
テープ基材の一方端に形成されるつまみ部と、テープ基材の他方端に形成されて使い捨ておむつ本体に取り付けられる固定部と、つまみ部と固定部との間に形成される止着部とを有する止着テープであって、
テープ基材の一方の面の少なくとも止着部に、留め具が取り付けられ、
止着部が、留め具を内側にして止着部と固定部との境界で折り返されて、留め具がテープ基材の固定部に接合され、
つまみ部が、留め具を外側にして、つまみ部と止着部との境界で折り返されていることを特徴とする止着テープ。
【請求項２】
前記留め具が、テープ基材の一方の面の止着部のみに取り付けられる請求項１に記載の止着テープ。
【請求項３】
前記テープ基材が不織布製であり、
前記留め具がプラスチック製のフック部材である請求項１または２に記載の止着テープ。
【請求項４】
前記テープ基材が、エンボス加工された目付５０ｇ／ｍ2〜１００ｇ／ｍ2の不織布製である請求項１〜３のいずれか一項に記載の止着テープ。
【請求項５】
請求項１〜４のいずれか一項に記載の止着テープを備えた使い捨ておむつであって、
前記使い捨ておむつは、前腹部と後背部とこれらの間に位置する股部とからなる使い捨ておむつ本体を有し、
前記止着テープが、使い捨ておむつ本体の前腹部または後背部の側端部に取り付けられていることを特徴とする使い捨ておむつ。
【発明の詳細な説明】
【技術分野】
【０００１】
本発明は、止着テープおよびこの止着テープを備えた使い捨ておむつに関するものである。
【背景技術】
【０００２】
従来、止着テープを備えた使い捨ておむつが知られている。止着テープとしては、例えば、フック部材とループ部材とからなるフック・ループファスナーを利用するものがある。使い捨ておむつに取り付けられる止着テープとして、例えば特許文献１には、不織布製の基材テープの一方側の端部に、先端に不織布が露出するようにフック部材が取り付けられ、フック部材の近傍に、折り返った先端が接合しない非接合部分を設けた止着テープが開示されている。
【先行技術文献】
【特許文献】
【０００３】
【特許文献１】特開２００５−３１９１３９号公報
【発明の概要】
【発明が解決しようとする課題】
【０００４】
特許文献１には、止着テープの先端（つまみ部）がフック部材の側に折り返った際、先端がフック部材に接合しない非接合部分を設けることは開示されているが、止着テープの先端をフック部材の側に折り返りにくくすることについての記載はない。また、特許文献１に開示された止着テープは、不織布製の先端が止着テープ自身や他の部材に密着しやすく、止着テープの先端を掴むことが困難となる場合がある。
【０００５】
本発明は上記事情に鑑みてなされたものであり、その目的は、止着テープの先端（つまみ部）が掴みやすく、止着テープの先端が、止着テープに取り付けられたフック部材等の留め具に接合しにくい止着テープ、および前記止着テープを備えた使い捨ておむつを提供することにある。
【課題を解決するための手段】
【０００６】
上記課題を解決することができた本発明の止着テープとは、テープ基材の一方端に形成されるつまみ部と、テープ基材の他方端に形成されて使い捨ておむつ本体に取り付けられる固定部と、つまみ部と固定部との間に形成される止着部とを有する止着テープであって、テープ基材の一方の面の少なくとも止着部に留め具が取り付けられ、止着部が、留め具を内側にして止着部と固定部との境界で折り返されて、留め具がテープ基材の固定部に接合され、つまみ部が、留め具を外側にして、つまみ部と止着部との境界で折り返されているところに特徴を有する。
【０００７】
本発明の止着テープは、つまみ部が、留め具を外側にして、つまみ部と止着部との境界で折り返されているため、止着部が固定部に接合していても、つまみ部を掴みやすく、止着部の折り返しを容易に展開することができる。また、止着テープの使用の際、つまみ部が留め具側に折り返りにくいため、つまみ部の不織布が留め具に接合しにくくなる。従って、留め具の接合面積が減少するおそれがなくなり、止着テープの使用の際、留め具の接合力が良好に保たれる。
【０００８】
留め具は、テープ基材の一方の面の止着部のみに取り付けられることが好ましい。留め具が止着部のみに取り付けられれば、留め具が平面的に設けられることとなり、止着テープの使用の際、止着対応部へ留め具全体を接合しやすくなる。また、留め具が止着テープ自身や止着対応部に接合している状態で、留め具が他部材へ意図せず接合しにくくなり、止着テープの取り扱い性が良好となる。
【０００９】
テープ基材は不織布製であり、留め具はプラスチック製のフック部材であることが好ましい。テープ基材が不織布製であれば、つまみ部を折り返して、つまみ部と止着部との境界に折り目を付けることが容易になる。その結果、つまみ部が折り返された状態を保持しやすくなる。さらに、留め具がプラスチック製のフック部材であれば、フック部材の縁をガイドにしてテープ基材の不織布を折り曲げやすくなる。
【００１０】
テープ基材は、エンボス加工された目付５０ｇ／ｍ2〜１００ｇ／ｍ2の不織布製であることが好ましい。このような不織布を用いれば、止着テープが十分な破断強度を有するようになるとともに、不織布に折り目を形成することが容易になり、つまみ部が折り返された状態で保持されやすくなる。
【００１１】
本発明の使い捨ておむつは、前腹部と後背部とこれらの間に位置する股部とからなる使い捨ておむつ本体を有し、前記止着テープが、使い捨ておむつ本体の前腹部または後背部の側端部に取り付けられているところに特徴を有する。本発明の使い捨ておむつは、止着テープを掴みやすいため、おむつの着脱が容易となるとともに、おむつ着用時に止着テープの接合位置を調整しやすい。
【発明の効果】
【００１２】
本発明の止着テープは、止着テープのつまみ部を掴みやすく、止着テープのつまみ部が折り返されて、止着テープに取り付けられた留め具に接合しにくいため、取り扱いが良好となる。
【図面の簡単な説明】
【００１３】
【図１】本発明の止着テープの一例であり、（ａ）は平面図、（ｂ）は（ａ）の止着部を展開した図、（ｃ）は（ａ）のＡ−Ａ断面図、（ｄ）は（ｂ）のＢ−Ｂ断面図である。
【図２】本発明の止着テープの変形例である。
【図３】本発明の止着テープを備えた使い捨ておむつの一例である。
【図４】図３のＣ−Ｃ断面図である。
【図５】（ａ）は図３のＤ−Ｄ断面図であり、（ｂ）は図３のＥ−Ｅ断面図を表す。
【発明を実施するための形態】
【００１４】
本発明の止着テープは、テープ基材の一方端に形成されるつまみ部と、テープ基材の他方端に形成されて使い捨ておむつ本体に取り付けられる固定部と、つまみ部と固定部との間に形成される止着部とを有する。
【００１５】
つまみ部は、テープ基材の一方端に形成される。つまみ部は、テープ基材のみから構成されていてもよく、留め具が取り付けられていてもよい。つまみ部は、テープ基材の一方端が折り返されることにより形成される。
【００１６】
固定部は、テープ基材の他方端に形成され、使い捨ておむつ本体に取り付けられる部分である。固定部は、例えば、接着剤が塗布されたり、熱融着や超音波接着されることにより、使い捨ておむつ本体に固定される。固定部は、止着部が留め具を内側にして止着部と固定部との境界で折り返されて、止着部の留め具が着脱自在に接合される部分でもある。
【００１７】
止着部は、つまみ部と固定部との間に形成され、留め具が取り付けられる部分である。留め具は、テープ基材の一方の面に取り付けられている。
【００１８】
留め具は、少なくとも止着部に取り付けられていればよく、さらにつまみ部にも取り付けられていてもよい。つまみ部にも留め具が取り付けられる場合、止着部とつまみ部には、テープ基材の同一の面に留め具が取り付けられる。好ましくは、留め具は止着部のみに取り付けられる。なお、固定部には、留め具は取り付けられない。
【００１９】
留め具としては、フック・ループファスナーのフック部材やループ部材、粘着剤（例えば、粘着テープ、粘着剤層等）等が使用できる。留め具としてフック部材を用いる場合は、固定部にループ部材を設けたり、固定部をループ部材として機能する材料（例えば、不織布、織布、編布等）で構成することが好ましい。留め具として粘着テープを用いる場合は、固定部を、粘着テープが剥離可能なプラスチックフィルムで構成することが好ましい。前記のように固定部を構成することにより、止着テープ使用時に、留め具と固定部との接合を解きやすくなる。
【００２０】
留め具としては、フック部材を用いることが好ましい。フック部材としては、例えば、錨形や鉤形やきのこ型等の形状のフックを有する部材を採用すればよい。
【００２１】
止着部と固定部とは、止着部の留め具がテープ基材の固定部に接合する際、両部の境界で折り返されることにより、区分される。止着部とつまみ部とは、つまみ部が両部の境界で折り返されることにより、区分される。
【００２２】
止着テープの形状は、特に限定されない。止着テープの形状は、例えば、四角形等の多角形、楕円形等であってもよいが、細長い形状であることが好ましい。止着テープは、つまみ部が形成されるテープ基材の一方端や固定部が形成されるテープ基材の他方端が、例えば直線状の輪郭を有するように形成されてもよく、蛇行線状の輪郭を有するように形成されてもよい。しかしながら、つまみ部が形成されるテープ基材の一方端は、蛇行線状の輪郭を有するように形成されることが、製造の効率面やつまみ部の掴みやすさの点で好ましい。一方、固定部が形成されるテープ基材の他方端は、直線状の輪郭を有するように形成されることが好ましい。
【００２３】
つまみ部、止着部、および固定部の各寸法は特に限定されないが、止着部の長さは、固定部の長さより短い方が好ましい。止着部の長さが固定部の長さより短ければ、留め具が、使い捨ておむつ本体に接合しにくくなり、留め具により、使い捨ておむつ本体が損傷を受けにくくなる。つまみ部の長さは特に限定されないが、止着部の長さより短い方が取り扱い性を良くする点で好ましい。つまみ部の長さは、好ましくは、止着部の長さの１／２以下である。なお、つまみ部、止着部、および固定部の長さとは、つまみ部から固定部に至る方向の長さを意味する。
【００２４】
止着部は、留め具を内側にして止着部と固定部との境界で折り返され、留め具が、テープ基材の固定部に接合されている。すなわち、止着部は、折り返された止着テープの内側面に留め具が位置するように、止着部と固定部との境界で折り返され、その結果、留め具が固定部と面するようになる。そして、留め具は、留め具が面するテープ基材の固定部に接合されている。止着テープは、使用前は、止着部がテープ基材の固定部に着脱自在に接合されている。本発明の止着テープは、使用前は留め具の露出が抑えられるため、留め具が意図せずに他の部材に接合しにくくなり、取り扱いが良好となる。また、留め具が他の部材を損傷するおそれも少なくなる。
【００２５】
止着テープを使用する際は、留め具とテープ基材との接合を解いて止着部の折り返しを展開し、止着部の留め具を露出させる。止着部の折り返しを展開する際、もし、つまみ部が折り返されてなければ、つまみ部がテープ基材に密着したりして、つまみ部を掴むのが困難となる場合がある。しかし、本発明の止着テープは、つまみ部が、留め具を外側にして、つまみ部と止着部との境界で折り返されている。すなわち、つまみ部は、折り返された止着テープの外側面に留め具が位置するように、つまみ部と止着部との境界で折り返されている。そのため、つまみ部を掴みやすく、止着部の折り返しを容易に展開することができる。また、止着テープの使用の際、つまみ部が留め具側に折り返りにくいため、つまみ部の不織布が留め具に接合しにくくなる。従って、留め具の接合面積が減少するおそれがなくなり、止着テープの使用の際、留め具の接合力が良好に保たれる。
【００２６】
留め具は、少なくとも止着部に取り付けられればよく、さらにつまみ部にも取り付けられていてもよいが、好ましくは止着部のみに取り付けられる。留め具が止着部のみに取り付けられれば、留め具が平面的に設けられることとなり、止着テープの使用の際、止着対応部へ留め具全体を接合しやすくなる。また、つまみ部に留め具が取り付けられる場合、止着部をテープ基材の固定部に接合した状態でも、つまみ部の留め具が露出し、留め具が他部材へ意図せず接合する可能性があるため、止着テープの取り扱い性が低下しやすくなる。なお、止着対応部とは、使い捨ておむつを装着する際、止着テープの留め具を接合する部分または部材を意味する。
【００２７】
テープ基材に用いられる材料としては、不織布、織布、編布、プラスチックフィルム、不織布とプラスチックフィルムとの積層体等を使用できる。前記積層体としては、例えば、不織布とプラスチックフィルムとが一層ずつ重ねられたものや、プラスチックフィルムを不織布で挟んで重ねられたものが示される。
【００２８】
テープ基材は、留め具が取り付けられる一方の面が、留め具が接合可能な材料で形成されていることが好ましい。テープ基材の留め具を備える面は、止着部が、留め具を内側にして止着部と固定部との境界で折り返されて、接合する面であるからである。留め具としてフック部材を用いる場合は、テープ基材の留め具を備える面は、不織布、織布、または編布で構成されていることが好ましい。留め具として粘着剤を用いる場合は、テープ基材の留め具を備える面は、プラスチックフィルムで構成されていることが好ましい。
【００２９】
留め具とテープ基材との組み合わせは、好ましくは、フック部材と不織布である。より好ましくは、留め具はプラスチック製のフック部材であり、テープ基材は不織布製である。テープ基材が不織布製であれば、つまみ部を折り返して、つまみ部と止着部との境界に折り目を付けることが容易になる。その結果、つまみ部が折り返された状態を保持しやすくなる。さらに、留め具がプラスチック製のフック部材であれば、フック部材の縁をガイドにしてテープ基材の不織布を折り曲げやすくなる。
【００３０】
テープ基材に用いられる不織布としては、スパンボンド法、エアースルー法、ポイントボンド法、メルトブロー法、エアレイド法やそれらの製法の組み合わせ等により製造される不織布が好ましい。さらに、スパンボンド法、またはスパンボンド法とメルトブロー法を組み合わせたＳＭＳ法により製造された不織布が好ましく、特にスパンボンド法により製造された不織布が好ましい。このような不織布を用いれば、高強度のテープ基材が得やすくなる。
【００３１】
テープ基材に用いられる不織布の材質としては、ポリプロピレン、ポリエチレン、ポリエステル、ポリアミド等の合成繊維、パルプ、絹等の天然繊維から適宜選択できる。中でも、ポリプロピレン、ポリエチレン、ポリエステル等の合成繊維が好ましく、ポリプロピレン繊維、ポリエステル繊維がより好ましい。このような材質から得られる不織布を用いれば、高強度のテープ基材が得やすくなる。
【００３２】
テープ基材に用いられる不織布の目付は、５０ｇ／ｍ2以上が好ましく、５５ｇ／ｍ2以上がより好ましく、また１００ｇ／ｍ2以下が好ましく、８５ｇ／ｍ2以下がより好ましい。不織布の目付が５０ｇ／ｍ2以上であれば、引っ張っても破れない程度の十分な破断強度を有し、つまみ部が折り返された状態で保持されやすくなる。不織布の目付が１００ｇ／ｍ2以下であれば、不織布に折り目を形成することが容易になる。
【００３３】
テープ基材に用いられる不織布は、エンボス加工されていることが好ましい。エンボス加工された不織布は、部分的に不織布が圧縮され剛性が高められているため、折り目を形成しやすくなる。
【００３４】
本発明の止着テープの一例について、図１および図２を参照して説明する。
【００３５】
図１（ａ）は、本発明の止着テープの一例を表し、図１（ｃ）は図１（ａ）のＡ−Ａ断面を表している。止着テープ１は、テープ基材２の一方端に形成されるつまみ部３と、他方端に形成される固定部５と、つまみ部３と固定部５との間に形成される止着部４からなる。図１（ｂ）は、図１（ａ）で示された止着テープ１について、止着部４の折り返しを展開した状態を表し、図１（ｄ）は図１（ｂ）のＢ−Ｂ断面を表している。
【００３６】
テープ基材２の一方の面の止着部４には、留め具６が取り付けられている。図１では、留め具６としてフック部材７が設けられており、フック部材７はベース部８とフック部９とを有している。フック部９では、複数のフックがベース部８の片面から突出している。ベース部８は、フック部９が設けられる反対側の面で、テープ基材２に接合している。止着部４は、留め具６を内側にして止着部４と固定部５との境界で折り返されて、留め具６がテープ基材２の固定部５に接合されている。
【００３７】
つまみ部３は、留め具６を外側にして、つまみ部３と止着部４との境界で折り返されている。つまり、つまみ部３は、つまみ部３と止着部４との境界で、留め具６の反対側に折り返されている。その結果、図１（ａ），（ｃ）に示すように、止着部４の留め具６がテープ基材２の固定部５に接合されていても、つまみ部３が、留め具６とは反対側に折り返されているため、つまみ部３を掴みやすく、止着部４の折り返しを容易に展開することができる。なお、図１では、つまみ部３が１８０°近く折り返されているが、つまみ部３は必ずしも図１に示す程度まで折り返されていなくてもよい。つまみ部３は、折り返しの角度が０°近くであっても、つまみ部３の先端がわずかでも浮き上がるように折り返されていれば、つまみ部３が掴みやすくなるため、問題ない。
【００３８】
図２（ａ）は、本発明の止着テープの変形例を表す。図２（ａ）は、止着部４が折り返されて固定部５に接合している状態を表し、図２（ｂ）は、止着部４の折り返しを展開した状態を表す。図２では、つまみ部３が形成されるテープ基材２の一方端が、図１よりも蛇行回数の多い蛇行線状輪郭を有し、つまみ部３が折り返されている。図２に示した止着テープは、留め具６が２ヶ所に取り付けられているため、おむつ着用の際、着用者の体型に合わせて腰周りや胴周りの寸法を調整しやすくなり、好ましい。
【００３９】
次に、本発明の止着テープを備えた使い捨ておむつについて説明する。本発明の使い捨ておむつは、前腹部と後背部とこれらの間に位置する股部とからなる使い捨ておむつ本体を有し、止着テープが使い捨ておむつ本体の前腹部または後背部の側端部に取り付けられている。なお、使い捨ておむつを着用の際に、着用者の腹側に当てる部分を前腹部と称し、着用者の尻側に当てる部分を後背部と称し、前腹部と後背部との間に位置し着用者の股間に当てる部分を股部と称する。
【００４０】
使い捨ておむつ本体は、例えば、液透過性のトップシートと液不透過性のバックシートとの間に吸収性コアが挟み込まれた積層体を有し、この積層体が前腹部と後背部とこれらの間に位置する股部とを有するものであってもよい。また、使い捨ておむつ本体は、前腹部と後背部とこれらの間に位置する股部とを有する外装シートと、液透過性のトップシートと液不透過性のバックシートとの間に吸収性コアが挟み込まれた吸収性本体とを有し、前記吸収性本体が前記外装シートの股部の着用者側の面に配されているものであってもよい。
【００４１】
使い捨ておむつは、テープ基材の固定部を使い捨ておむつ本体に固定することにより、止着テープが取り付けられる。テープ基材の固定部は、例えば、使い捨ておむつ本体を構成する２つの部材間に取り付けられてもよく、使い捨ておむつ本体を構成する部材の片面に取り付けられてもよい。テープ基材の固定部は、例えば、トップシートとバックシートとの間に取り付けられたり、サイドシートとバックシートとの間に取り付けられたり、外装シートの片面に取り付けられたりする。
【００４２】
止着テープは、止着部を、留め具を内側にして止着部と固定部との境界で折り返した場合に、留め具が使い捨ておむつ本体と接合しないように、使い捨ておむつ本体に取り付けられることが好ましい。従って、止着テープの使い捨ておむつ本体への取り付け方法に応じ、固定部の長さや、固定部が使い捨ておむつ本体に取り付けられる長さを、適宜調整することが好ましい。
【００４３】
止着テープは、前腹部の左側端部、前腹部の右側端部、後背部の左側端部、および後背部の右側端部よりなる群から選ばれる少なくとも１ヶ所に取り付けられる。好ましくは、前腹部の左側端部と右側端部とに、または後背部の左側端部と右側端部とに、一対の止着テープが取り付けられる。
【００４４】
使い捨ておむつ本体には、止着対応部が設けられることが好ましい。止着対応部とは、止着テープの留め具と着脱自在に接合可能な部分または部材を意味する。止着テープが前腹部に取り付けられる場合は、止着対応部が、使い捨ておむつ本体の後背部に設けられることが好ましい。また、止着テープが後背部に取り付けられる場合は、止着対応部が、使い捨ておむつ本体の前腹部に設けられることが好ましい。
【００４５】
止着テープは、留め具を有する面が着用者側に面するように、使い捨ておむつ本体に取り付けられることが好ましい。この場合、止着対応部は、使い捨ておむつ本体の外面、すなわち着用者に面する側と反対側に設けられることが好ましい。
【００４６】
従って、本発明においては、一対の止着テープが、前腹部または後背部の左側端部と右側端部とに、留め具が取り付けられる面が着用者側に面するように使い捨ておむつ本体に取り付けられ、止着対応部が、使い捨ておむつ本体の外面の後背部または前腹部に設けられることが好ましい。この場合、使い捨ておむつを着用するには、止着テープの止着部を展開した後、後背部に取り付けられた止着テープを、前腹部に設けられた止着対応部と接合させたり、前腹部に取り付けられた止着テープを、後背部に設けられた止着対応部と接合させたりする。
【００４７】
本発明の使い捨ておむつは、止着テープを掴みやすいため、おむつの着脱が容易となる。例えば、おむつを着用している場合、止着対応部に接合した止着テープのつまみ部を掴みやすいため、おむつを脱ぐ際、止着対応部への止着テープの接合を解きやすい。また、おむつ着用時に、止着テープを止着対応部から解放して、再接合することにより、止着テープの接合位置を調整しやすい。
【００４８】
次に、本発明の使い捨ておむつの各部材の材料について説明する。トップシートは液透過性の不織布等により構成され、バックシートと外装シートは液不透過性のプラスチックフィルムや撥水性不織布等により構成されることが好ましい。外装シートは、また、親水性不織布と、液不透過性のプラスチックフィルムまたは撥水性不織布等の撥水性材料からなる積層体であってもよい。
【００４９】
トップシートやバックシートが不織布により構成される場合、トップシートやバックシートに用いられる不織布の目付は、止着テープに用いられる不織布の目付よりも少ない方が好ましい。トップシートやバックシートに用いられる不織布の目付は、例えば、５ｇ／ｍ2〜３５ｇ／ｍ2である。
【００５０】
吸収性コアは、例えば、粉砕したパルプ繊維やセルロース繊維等の親水性繊維集合層に粒状の高分子吸水性樹脂を混合した塊を、ティッシュペーパーなどの紙シートまたは液透過性不織布シート等の被覆シートで包み、長方形、砂時計型、ひょうたん型、羽子板型等の所定形状に成形することにより得られる。
【００５１】
止着対応部は、留め具が接合可能な材料で構成されていることが好ましい。留め具として粘着剤を用いる場合は、止着対応部としてプラスチックフィルムを用いることが好ましい。留め具としてフック部材を用いる場合は、止着対応部としてはループ部材を用いることが好ましい。ループ部材としては、不織布、織布、編布や、不織布または織布を表面に有するプラスチックフィルム複合材料等を用いることができる。前記各材料には、表面にループ構造が形成されていることが好ましい。また、例えば、止着対応部が使い捨ておむつ本体の外面に設けられる場合、バックシートや外装シートが止着対応部として機能する材料で作られていれば、止着対応部として機能する他の部材を取り付けなくてもよい。
【００５２】
使い捨ておむつの様々な構成部材を接合するための接合手段としては、接着剤、熱接着、超音波接着等を用いることができる。接着剤としては、ポリオレフィン系、ゴム系、酢酸ビニル系等のホットメルト接着剤を使用することができる。
【００５３】
本発明の使い捨ておむつの一例について、図３〜図５を参照して説明する。図３は本発明の使い捨ておむつの一例を表し、図４は図３のＣ−Ｃ断面図を表し、図５（ａ）は図３のＤ−Ｄ断面図を表し、図５（ｂ）は図３のＥ−Ｅ断面図を表している。図３および図４では、矢印ｘを横方向（幅方向）とし、矢印ｙを縦方向（長手方向）と定義付けている。また、矢印ｘ，ｙにより形成される面に対して垂直方向を上下方向（厚み方向）ｚと定義付ける。
【００５４】
使い捨ておむつ１０は、前腹部Ｐと後背部Ｑとこれらの間に位置する股部Ｒとからなる使い捨ておむつ本体１１を有する。股部Ｒには、着用者の脚を通しやすくするために、レッグ用切欠２４が形成されている。
【００５５】
使い捨ておむつ本体１１は、液透過性のトップシート１２と液不透過性のバックシート１３との間に吸収性コア１４が挟み込まれた積層体を有し、この積層体が前腹部Ｐと後背部Ｑとこれらの間に位置する股部Ｒとを有している。トップシート１２は、着用者の肌に面するように配置され、尿等の排泄物を透過する。トップシート１２を透過した排泄物は、吸収性コア１４により収容される。バックシート１３は、排泄物が外部へ漏れるのを防ぎ、衣服等が汚れるのを防ぐ。
【００５６】
トップシート１２には、縦方向ｙに延在したサイドシート１５が、使い捨ておむつ１０の横方向ｘの左右側端部に設けられている（図４）。サイドシート１５は、トップシート１２の外方端部に接合されている。サイドシート１５には、内方端部に起立用弾性部材２２が配されている。使い捨ておむつ１０の着用時には、起立用弾性部材２２の収縮力により、サイドシート１５の内方部分がトップシート１２の上方、すなわち着用者の肌に向かって立ち上がる。これにより、尿等の排泄物の横方向ｘの外方への漏れが防止される。サイドシート１５は、液不透過性のプラスチックフィルムや撥水性不織布等により構成されることが好ましく、撥水性の不織布により構成されることがより好ましい。サイドシートが不織布により構成される場合、目付は、好ましくは５ｇ／ｍ2〜３５ｇ／ｍ2である。
【００５７】
使い捨ておむつ１０の股部Ｒの左右側端部１９には、レッグ用弾性部材２１が伸張状態で、サイドシート１５とバックシート１３との間に配されている。レッグ用弾性部材２１の収縮力により、着用者の脚周りに沿ったレッグギャザーが形成され、股部からの尿等の排泄物の漏れが防止される。
【００５８】
使い捨ておむつ１０の縦方向ｙの縁部２０には、ウェスト用弾性部材２３が伸張状態で、トップシート１２またはサイドシート１５とバックシート１３との間に配されている。ウェスト用弾性部材２３の収縮力により、着用者の胴周りに沿ったウェストギャザーが形成され、背中側や腹部側からの尿等の排泄物の漏れが防止される。
【００５９】
使い捨ておむつ本体１１の後背部Ｑの左右の側端部１８には、止着テープ１が取り付けられている。止着テープ１は、固定部５でサイドシート１５とバックシート１３との間に接合され、使い捨ておむつ１０の外方に延出するように設けられている（図５）。前腹部Ｐには止着対応部１６が設けられている。なお、図３には示されていないが、前腹部Ｐの左右の側端部１７に、止着テープ１が取り付けられ、後背部Ｑに止着対応部１６が設けられていてもよい。
【００６０】
図３の後背部Ｑの左側の側端部１８（図面の左側であり、着用した際に着用者の左側に位置する）に取り付けられた止着テープ１について、Ｄ−Ｄ断面図を図５（ａ）に示す。図５（ａ）では、止着テープ１は、止着部４が折り返されて止着部４の留め具６が固定部５に接合され、さらに固定部５が使い捨ておむつ本体１１の側縁に沿って折り曲げられ、止着テープ１が使い捨ておむつ本体１１の内面上に折り畳まれている。製造された状態の未使用の使い捨ておむつ１０に取り付けられる止着テープ１は、図５（ａ）に示された状態になっていることが、使い捨ておむつ１０がコンパクトになる点で好ましい。
【００６１】
図３の後背部Ｑの右側の側端部１８（図面の右側であり、着用した際に着用者の右側に位置する）に取り付けられた止着テープ１について、Ｅ−Ｅ断面図を図５（ｂ）に示す。図５（ｂ）は、図５（ａ）の止着テープ１の固定部５の折り畳みが展開された状態を表している。おむつ着用の際には、止着テープ１を、図５（ａ）の状態から図５（ｂ）の状態に展開し、さらに止着部４の折り返しを展開することで、止着テープが使用できるようになる。
【符号の説明】
【００６２】
１：  止着テープ
２：  テープ基材
３：  つまみ部
４：  止着部
５：  固定部
６：  留め具
１０：  使い捨ておむつ
１１：  使い捨ておむつ本体
１６：  止着対応部
【図１】
2010220872.tif 000003
【図２】
2010220872.tif 000004
【図３】
2010220872.tif 000005
【図４】
2010220872.tif 000006
【図５】
2010220872.tif 000007